(57)【要約】  【課題】プライバシーを保護しつつ高齢者を遠隔的に見守る。  【解決手段】見守りシステムは，監視範囲に人が出入りしたときに検出信号を出力する赤外線センサ，ネットワークを通じてデータを送受信する通信装置，および監視範囲の被写体を撮像し，被写体像を表す画像データを出力するカメラを備えている。赤外線センサから所定時間にわたって検出信号の出力がないとカメラが駆動される（ステップ63〜65，ステップ67でYES ，ステップ68）。カメラから出力される画像データはサーバ・コンピュータに送信され（ステップ69），そこから携帯端末装置に向けて電子メールによって送信される。【選択図】図６
2018028837.tif 000002
【特許請求の範囲】
【請求項１】
監視範囲に人が出入りしたときに検出信号を出力する人感センサ，
ネットワークを通じてデータを送受信する通信装置，および
上記監視範囲の被写体を撮像し，被写体像を表す画像データを出力する撮像装置を備え，
所定時間にわたって上記人感センサからの検出信号の出力がないときに上記撮像装置を駆動する第１の制御装置，および
上記撮像装置から出力される画像データを外部装置に送信するように上記通信装置を制御する第２の制御装置，
を備えている，静止状態監視装置。
【請求項２】
上記第１の制御装置は，
上記人感センサからの検出信号の出力の有無を一定時間間隔で確認する確認手段，
上記確認手段によって検出信号の出力が確認されたときにリセットされ，かつ上記確認手段によって検出信号の出力が確認されなかったときに積算されるカウンタ，および
上記カウンタの値が上記所定時間に相当する所定の閾値に達したときに，上記撮像装置を駆動するための駆動信号を出力する出力手段，
を備えている，請求項１に記載の静止状態監視装置。
【請求項３】
上記人感センサが赤外線センサである，
請求項１または２に記載の静止状態監視装置。
【請求項４】
上記所定時間を書き換え可能に記憶する第１の記憶手段を備えている，
請求項１から３のいずれか一項に記載の静止状態監視装置。
【請求項５】
上記人感センサの稼働時間帯を書き換え可能に記憶する第２の記憶手段，および
上記稼働時間帯に上記人感センサを稼働させる第３の制御装置を備えている，
請求項１から４のいずれか一項に記載の静止状態監視装置。
【請求項６】
請求項１から５のいずれか一項に記載の静止状態監視装置を備え，
上記外部装置が，
上記静止状態監視装置から送信される画像データを受信する受信手段，および
上記受信手段によって受信された画像データを，あらかじめ設定されるアドレス宛に電子メールによって送信する送信手段を備えている，
見守りシステム。
【発明の詳細な説明】
【技術分野】
【０００１】
この発明は，見守りシステム，特に高齢者に対する見守りシステムに関する。
【背景技術】
【０００２】
一人暮らしの高齢者や高齢者だけが居住する世帯が増えている。監視カメラを室内に設置し，これにより高齢者を常時監視することも考えられるが，プライバシーの保護が難しく，また常時監視は高齢者の心理的負担も大きい。
【０００３】
特許文献１は，加速度センサおよび地磁気センサを含む腕装着型センサ装置を高齢者に装着し，高齢者の動作と居場所とを検出して高齢者の状態（食事中，就寝中など）を判定し，その状態を示す絵図を，ネットワークを介してパーソナル・コンピュータや携帯端末装置に通知するシステムを記載する。監視カメラを用いるものではないが，センサ装置を常時身に付けてもらう必要があり，これも高齢者の負担は大きい。
【先行技術文献】
【特許文献】
【０００４】
【特許文献１】特開２０１３−７７１１３号公報
【発明の概要】
【発明が解決しようとする課題】
【０００５】
この発明は，高齢者のプライバシーを保護しつつ，かつ高齢者に負担をかけることなく，高齢者を見守ることができるようにすることを目的とする。
【課題を解決するための手段】
【０００６】
この発明による静止状態監視装置は，監視範囲に人が出入りしたときに検出信号を出力する人感センサ，ネットワークを通じてデータを送受信する通信装置，および上記監視範囲の被写体を撮像し，被写体像を表す画像データを出力する撮像装置を備え，所定時間にわたって上記人感センサからの検出信号の出力がないときに上記撮像装置を駆動する第１の制御装置，および上記撮像装置から出力される画像データを外部装置に送信するように上記通信装置を制御する第２の制御装置を備えていることを特徴とする。
【０００７】
所定時間にわたって人感センサからの検出信号の出力がないときに撮像装置が駆動される。すなわち（１）人感センサの監視範囲に所定時間にわたって人の出入りがなかったとき，および（２）人感センサの監視範囲に人はいるが，所定時間にわたってその人が動かなかったときに，撮像装置は駆動する。
【０００８】
この発明によると，たとえば，毎日同じ時刻に人感センサの監視範囲（たとえば居間）に現れる高齢者が，その時刻を過ぎても監視範囲に現れないときに撮像装置が駆動する。また，高齢者が人感センサの監視範囲内で気を失ってしまって動けなくなった（動かなくなった）ときにも撮像装置が駆動する。撮像装置から出力される画像データは外部装置に送信されるので，その外部装置において，または外部装置からさらにデータ送信（データ転送）される別の装置において，画像データに基づく画像によって高齢者の様子を確認する（見る）ことができる。常時または動きがあったときに撮影を実行するものではないので，高齢者のプライバシーを保護しつつ，高齢者を遠隔的に見守ることができる。また，静止状態監視装置を適切に設置すればよいので，高齢者の負担は少ない。
【０００９】
好ましくは，上記第１の制御装置は，上記人感センサからの検出信号の出力の有無を一定時間間隔で確認する確認手段，上記確認手段によって検出信号の出力が確認されたときにリセットされ，かつ上記確認手段によって検出信号の出力が確認されなかったときに積算（インクリメント）されるカウンタ，上記カウンタの値が所定の閾値に達したときに，上記撮像装置を駆動するための駆動信号を出力する出力手段を備えている。カウンタを用いることで所定時間にわたって人の動きがなかったことを検知することができる。
【００１０】
一実施態様では上記人感センサは赤外線センサである。人の体から放出される赤外線を用いて，監視範囲において人の動きが無いことを検知することができる。
【００１１】
好ましくは，静止状態監視装置は，上記所定時間を規定するデータを書き換え可能に記憶する第１の記憶手段をさらに備えている。人感センサからの検出信号の出力がなく撮像装置の駆動に進むための上記所定時間を変更することができるので，たとえば入浴のために監視範囲を短時間だけ離れたときのように特段の問題がないときに，画像データが外部装置に送信されることを防止することができる。
【００１２】
一実施態様では，静止状態監視装置は，上記人感センサの稼働時間帯を書き換え可能に記憶する第２の記憶手段，および上記稼働時間帯に上記人感センサを稼働させる第３の制御装置を備えている。たとえば稼働時間帯から就寝時間帯を除外することによって，就寝中の画像データが外部装置に送信されることを防止することができる。もちろん，人感センサの稼働時間帯に代えて人感センサの未稼働時間帯を記憶させてもよく，この場合には未稼働時間帯を除く時間帯が稼働時間帯となる。
【００１３】
この発明は，上述した静止状態監視装置を備える見守りシステムも提供する。この発明による見守りシステムは，上述した静止状態監視装置および外部装置を備え，上記外部装置が，上記静止状態監視装置から送信される画像データを受信する受信手段，および上記受信手段によって受信された画像データを，あらかじめ設定されるアドレス宛に電子メールによって送信する送信手段を備えている。人の動きが所定時間にわたって無いときに，電子メールによって送信される監視範囲の画像を確認することができる。高齢者のプライバシーを保護しつつ，高齢者を遠隔的かつ簡便に見守ることができる。高齢者の負担も少ない。
【図面の簡単な説明】
【００１４】
【図１】静止状態監視装置の斜視図である。
【図２】静止状態監視装置の電気的構成を示すブロック図である。
【図３】見守りシステムの構成を示すブロック図である。
【図４】各種設定画面を示す。
【図５】稼働状況確認画面を示す。
【図６】静止状態監視装置の処理を示すフローチャートである。
【実施例】
【００１５】
図１は静止状態監視装置の斜視図を，図２は静止状態監視装置の電気的構成を示すブロック図を，それぞれ示している。図３は静止状態監視装置を含む見守りシステムの全体構成を示すブロック図である。
【００１６】
静止状態監視装置１は赤外線センサ２およびカメラ３を備え，後述するように，赤外線センサ２によって人の動きが所定時間にわたって検知されなかったときに上記カメラ３を駆動して撮影を実行するように動作する。静止状態監視装置１は外部接続端子４を備え，外部接続端子４に接続される電源ケーブル（図示略）から動作に必要な電力が供給される。
【００１７】
静止状態監視装置１は直方体状の筐体を備え，筐体の前面（正面）に，上述した赤外線センサ２およびカメラ３が取り付けられている。筐体内には静止状態監視装置１の全体的な動作を制御するＣＰＵ10が実装された回路基板（図示略）が格納されている。ＣＰＵ10には，上述した赤外線センサ２およびカメラ３に加えて，ネットワークを通じてデータを送受信する通信装置11，オペレーティングシステム・プログラム，静止状態監視装置１に固有の端末識別番号，後述する検出時間データ，監視時間帯データおよび動作制御プログラムを記憶するメモリ12，ならびに秒，分，時，曜日，日，月および年を計時するクロック13が接続されている。
【００１８】
図３を参照して，見守りシステムは，上述した静止状態監視装置１，サーバ・コンピュータ20および携帯端末装置（スマートフォン）30から構成される。静止状態監視装置１とサーバ・コンピュータ20，およびサーバ・コンピュータ20と携帯端末装置30は，それぞれネットワーク（インターネット等）を通じて相互にデータ送受信可能に接続される。
【００１９】
静止状態監視装置１は，赤外線センサ２によって人の動きが一定時間検知されなかったときにカメラ３を駆動して撮影を実行する。カメラ３によって生成される画像データは，メモリ12に記憶されている端末識別番号とともに，静止状態監視装置１からサーバ・コンピュータ20に送信される。
【００２０】
逆にサーバ・コンピュータ20から静止状態監視装置１に向けて，静止状態監視装置１の動作を制御するための設定データ，ここでは検出時間データおよび監視時間帯データを送信することができる。サーバ・コンピュータ20から送信される検出時間データおよび監視時間帯データは，上述のように静止状態監視装置１のメモリ12に書き換え可能に記憶される。
【００２１】
またサーバ・コンピュータ20は，静止状態監視装置１から送信される画像データを受信すると，受信した画像データをあらかじめ設定された電子メールアドレス宛にメール送信する機能も有している。
【００２２】
図４は電子メールアドレス等を設定するための設定画面を示している。図５は監視時間帯および検出時間を設定および確認するための稼働状況確認画面を示している。
【００２３】
見守りシステムのユーザ，たとえば静止状態監視装置１が設置される世帯に住む高齢者の子供，親戚等に，あらかじめログインＩＤとパスワードの組が与えられる。ユーザ端末（パーソナル・コンピュータ，スマートフォンなど）からサーバ・コンピュータ20にアクセスし，正しいログインＩＤとパスワードの組を入力すると，図４に示す設定画面40および図５に示す確認画面50をユーザ端末の表示画面に表示させることができる。
【００２４】
図４に示す設定画面40が用いられて，パスワードの変更，サーバ・コンピュータ20から送信される電子メールのタイトル，および電子メールの送信先アドレスが設定される。設定画面40が用いられて設定されるパスワード，電子メールのタイトル，電子メールの送信先アドレスは，上述した静止状態監視装置１に固有の端末識別番号およびログインＩＤに関連づけられて，サーバ・コンピュータ20が備える記憶装置21（ユーザ情報テーブル）に記憶される。
【００２５】
図５に示す稼働状況確認画面50が用いられて監視時間帯および検出時間が設定される。監視時間帯は静止状態監視装置１の稼働時間帯であり，検出時間は静止状態監視装置１によって人の動きが検知されなかったと判断される時間（時間幅）である。監視時間帯および検出時間を表すデータは，静止状態監視装置１に固有の端末識別番号およびログインＩＤに関連づけられてサーバ・コンピュータ20が備える記憶装置21（ユーザ情報テーブル）に記憶されるとともに，サーバ・コンピュータ20から静止状態監視装置１に送信され，静止状態監視装置１が備えるメモリ12に記憶される。静止状態監視装置１が稼働する稼働時間帯に代えて，静止状態監視装置１を稼働させない時間帯（未監視時間帯）を設定するようにしてもよい。
【００２６】
図５に示す稼働状況確認画面50に表示される「稼働確認」欄には，静止状態監視装置１の稼働が確認された最新の日時が示される。たとえば，pingをサーバ・コンピュータ20から静止状態監視装置１に送信すると，静止状態監視装置１からサーバ・コンピュータ20に日時を含む応答データが返送される。これに基づいて，静止状態監視装置１の稼働が確認された最新の日時を示すことができる。静止状態監視装置１が稼働していない（電源が切られている，故障しているなど）場合には静止状態監視装置１からの応答データがサーバ・コンピュータ20によって受信されず，稼働確認欄に日時は表示されない。これによって静止状態監視装置１の稼働状況を確認することができる。静止状態監視装置１が稼働していないことは，たとえばサービス・センター等に通知してもよいし，上述したメールアドレス宛にその旨をメール送信してもよい。
【００２７】
図６は静止状態監視装置１の動作を示すフローチャートである。
【００２８】
静止状態監視装置１は，たとえば高齢者の自宅の居間に設置される。外部接続端子４から電源が供給されると，メモリ12に記憶されている動作制御プログラムがＣＰＵ10によって読み込まれ，静止状態監視装置１は稼働（作動）可能な状態となる。
【００２９】
はじめに静止状態監視装置１が備えるクロック13で計時されている現在時刻が，メモリ12に記憶されている監視時間帯内の時刻であるかどうかが確認される（ステップ61）。現在時刻が監視時間帯外であれば静止状態監視装置１は稼働せずスタンバイ状態となる（ステップ61でNO）。
【００３０】
現在時刻が監視時間帯内であると（ステップ61でYES ），メモリ12に設けられるカウンタｉが初期化（リセット）され（ステップ62），一定時間（たとえば１秒）間隔の赤外線センサ２の検出信号の出力確認が開始される（ステップ63）。
【００３１】
赤外線センサ２は，赤外線が照射された瞬間と赤外線が遮断された瞬間とに出力電圧を変動させる。人体は９〜１０μｍの波長の赤外線を発しているので，赤外線センサ２の検出範囲（静止状態監視装置１の監視範囲）に人が入ってきたときと検出範囲から人が出て行ったときに，赤外線センサ２からの出力電圧が変動する。この出力電圧の変動が検出信号として用いられる。
【００３２】
赤外線センサ２の検出範囲に人が出入りすると，上述したように，赤外線センサ２からは検出信号が出力される。検出信号の出力が確認されると，カウンタｉがリセットされる（ステップ64でYES，ステップ62）。
【００３３】
他方，検出信号の出力が確認されない場合，カウンタｉが積算（インクリメント）される（ステップ64でNO，ステップ65）。
【００３４】
カウンタｉの積算は，カウンタｉの値がメモリ12に記憶される検出時間データによって表される検出時間に相当する閾値Ｎに達するまで繰り返し行われる（ステップ67でNO）。カウンタｉの値が閾値Ｎに達した，すなわちあらかじめ設定される検出時間にわたって赤外線センサ２から検出信号が出力されなかったときに，ＣＰＵ10からカメラ３に駆動信号が出力され，これによってカメラ３が駆動されて室内が撮影される（ステップ67でYES ，ステップ68）。赤外線センサ２の検出範囲とカメラ３の撮影範囲とは好ましくは同じ範囲（領域）とされる。もっとも，カメラ３の撮影範囲を，赤外線センサ２の検出範囲よりも幾分広くしても，または狭くしてもよい。また，カメラ３によって生成される画像データは静止画像データであっても動画像データであってもよい。
【００３５】
カメラ３によって生成された画像データとメモリ12に記憶されている端末識別番号とが，通信装置11によって静止状態監視装置１からサーバ・コンピュータ20に送信される（ステップ69，図３参照）。
【００３６】
上述したように，静止状態監視装置１から画像データと端末識別番号を受信すると，サーバ・コンピュータ20は，記憶装置21にその端末識別番号と関連づけられて記憶されている電子メールの送信先アドレス宛に，受信した画像データを含む電子メールを送信する。電子メールを受信した携帯端末装置30を用いて高齢者の様子を画像で確認することができる。
【００３７】
たとえば検出時間が１８０分に設定され，監視時間帯が６：００〜２３：００に設定されている静止状態監視装置１が居間に設置されているとする。毎日朝６時に起床して居間に現れる高齢者が朝９時を過ぎても居間に現れないと，居間の様子がカメラ３によって撮影され，画像データが電子メールによって携帯端末装置30に送信される。また，日中居間で過ごすことが多い高齢者が居間で体調を崩して動けなくなったとすると，動かなくなってから１８０分経過後に居間の様子が撮影され，画像データが電子メールによって携帯端末装置30に送信される。このように，独居している高齢者を遠隔的かつ簡便に見守ることができる。また，常時監視するまたは人の動きを検知したときに撮影をするものではないので，高齢者のプライバシーを確保することができ，高齢者の負担も少ない。
【符号の説明】
【００３８】
１  静止状態監視装置
２  赤外線センサ（人感センサ）
３  カメラ（撮像装置）
10  ＣＰＵ（制御装置）
11  通信装置
12  メモリ
13  ハードウエア・クロック
20  サーバ・コンピュータ
30  携帯端末装置
【図１】
2018028837.tif 000003
【図２】
2018028837.tif 000004
【図３】
2018028837.tif 000005
【図４】
2018028837.tif 000006
【図５】
2018028837.tif 000007
【図６】
2018028837.tif 000008